(57)【要約】【課題】１個の牽制アームだけで窓を換気位置と全開放位置において開放規制できる内倒し窓用の換気ステーを提供する。【解決手段】一端が窓２に連結される牽制アーム１０と、牽制アーム１０の他端に連結されるスライダー１１と、開口枠１に固定されてスライダー１１を案内支持するガイドレール１２と、スライダー１１を換気位置で移動規制する規制機構とを含む。規制機構は、スライダー１１を係合捕捉する捕捉レバー２８と、捕捉レバー２８を係合付勢するばね２９と、捕捉レバー２８を係合解除姿勢に切り換え操作する切換具３０とからなる。捕捉レバー２８を切換具３０で係合解除姿勢に切り換え操作して、捕捉レバー２８によるスライダー１１の規制を解除することにより、窓２を全開放操作できるようにする。【選択図】図１
2005139653.tif 000002
【特許請求の範囲】
【請求項１】
内倒し型の窓２と開口枠１との間に設けられて、窓２を換気位置と全開放位置とにおいて開放規制できる内倒し窓の換気ステーであって、
一端が揺動可能に軸支される牽制アーム１０と、牽制アーム１０の他端に連結されるスライダー１１と、スライダー１１を上下スライド自在に案内支持するガイドレール１２と、ガイドレール１２に組み込まれてスライダー１１を換気位置で移動規制する規制機構とを含み、
牽制アーム１０とガイドレール１２とのいずれか一方が窓２に装着され、他方が開口枠１に装着されており、
規制機構が、ガイドレール１２の一端寄りに配置されて、スライダー１１を係合捕捉する捕捉レバー２８と、捕捉レバー２８を係合姿勢に揺動付勢するばね２９と、捕捉レバー２８を係合姿勢から係合解除姿勢に切り換え操作する切換具３０とを含み、
捕捉レバー２８を切換具３０で係合解除姿勢に切り換え操作した状態において、窓２を全開放操作できる内倒し窓の換気ステー。
【請求項２】
ガイドレール１２の一端内部に切換具３０と捕捉レバー２８とが隣接配置されており、
捕捉レバー２８は、ガイドレール１２に固定した軸３４で係合姿勢と係合解除姿勢とにシーソー揺動可能に軸支されており、
切換具３０が、ガイドレール１２で往復スライド可能に案内支持されて、捕捉レバー２８をばね２９の弾性に抗して係合解除操作する作動位置と、捕捉レバー２８の揺動領域の外に退避する待機位置とに変位できる請求項１記載の内倒し窓の換気ステー。
【請求項３】
牽制アーム１０の一端がブラケット９を介して窓２の側面に連結され、ガイドレール１２が開口枠１の内側面に固定されており、
窓２を閉じた状態において切換具３０を切り換え操作する操作体４３が、窓２の室内側に組み付けてある請求項１または２記載の内倒し窓の換気ステー。
【請求項４】
スライダー１１が、スライダー本体１６と、スライダー本体１６と同行移動して捕捉レバー２８で係合捕捉される係合片１７と、スライダー本体１６に組み込まれた制動体１８と、制動体１８をガイドレール１２に押し付け付勢するばね１９とを含んでおり、
ガイドレール１２に装着したストッパー１３が、衝撃吸収可能なゴムブロック１３ａで形成されている請求項１または２または３記載の内倒し窓の換気ステー。
【発明の詳細な説明】
【技術分野】
【０００１】
本発明は、内倒し窓に適用されて、窓を換気位置と全開放位置とで開放規制できる内倒し窓用の換気ステーに関する。
【背景技術】
【０００２】
窓を換気位置と全開放位置とに開放規制する内倒し窓用の換気ステーは、例えば特許文献１に公知である。そこでは、窓と開口枠とを折り畳み自在な２個の牽制アームで連結している。開口枠側の牽制アームはスライダーに連結してあり、スライダーは開口枠に固定したガイドレールで上下摺動可能に案内支持してある。ガイドレールの下端には、位置調整可能なストッパーが設けてある。窓側の牽制アームは、窓に固定したブラケットに連結されており、牽制アームの下部にラッチ機構が設けてある。このラッチ機構を切り換え操作することにより、窓側の牽制アームを揺動不能な状態と、揺動可能な状態とに切り換えることができる。換気開放時には、窓側の牽制アームをラッチ機構で固定して開口枠側の牽制アームのみを揺動させ、全開放時には窓側の牽制アームの拘束を解除して２個の牽制アームを伸張させる。
【０００３】
【特許文献１】特許第３３０４０７４号公報（段落番号００１３、図１０）
【発明の開示】
【発明が解決しようとする課題】
【０００４】
上記の換気ステーによれば、ラッチ機構を切り換え操作するだけで窓側に連結した牽制アームを拘束し、あるいは拘束を解除して、窓を換気位置と全開放位置において開放規制できる。問題は、２個の牽制アームで窓を開放規制するので、窓と開口枠との間に大きな隙間が必要で、開口枠の断面構造によっては、換気ステーを適用できないことがある。換気ステーの全体構造が複雑化する不利もある。ラッチ機構が窓の側面に固定してあるので、窓を換気開放した状態でないと、ラッチ機構を操作できない。しかも、２個の牽制アームが直線状に伸張することで窓を全開揺動させるので、換気開放状態においてラッチを解除操作すると、窓が室内側へ急に倒れ込むおそれがある。例えば窓につかまった状態でラッチを解除操作するような場合にバランスを崩すことがあり、安全性に問題がある。
【０００５】
本発明の目的は、１個の牽制アームのみで窓を換気位置と全開放位置において開放規制できるようにし、換気ステーを組み込むための窓と開口枠との間の隙間が小さい場合にも、換気ステーを問題なく装着でき、その分だけ汎用性を拡大できる内倒し窓用の換気ステーを提供することにある。本発明の目的は、窓が換気位置から全開放位置へと急激に開き揺動するのを防止できる、安全性に優れた内倒し窓用の換気ステーを提供することにある。本発明の目的は、窓を閉じた状態のままで、換気ステーを換気状態と全開放状態とのいずれにでも切り換えることができるうえ、必要があれば、換気開放状態において換気ステーを全開放状態に切り換え操作することもできる、操作しやすい内倒し窓用の換気ステーを提供することにある。本発明の目的は、全開放位置から窓を閉じ操作するだけで、換気ステーを換気状態に切り換えることができる内倒し窓用の換気ステーを提供することにある。
【課題を解決するための手段】
【０００６】
本発明の換気ステーは、内倒し型の窓２と開口枠１との間に設けられて、窓２を換気位置と全開放位置とにおいて開放規制できる。換気ステーは、一端が揺動可能に軸支される牽制アーム１０と、牽制アーム１０の他端に連結されるスライダー１１と、スライダー１１を上下スライド自在に案内支持するガイドレール１２と、ガイドレール１２に組み込まれてスライダー１１を換気位置で移動規制する規制機構とを含む。牽制アーム１０とガイドレール１２とのいずれか一方は窓２に装着し、他方は開口枠１に装着する。図１に示すように、規制機構は、ガイドレール１２の一端寄りに配置されて、スライダー１１を係合捕捉する捕捉レバー２８と、捕捉レバー２８を係合姿勢に揺動付勢するばね２９と、捕捉レバー２８を係合姿勢から係合解除姿勢に切り換え操作する切換具３０とを含む。以て、図１０に示すように、捕捉レバー２８を切換具３０で係合解除姿勢に切り換え操作した状態において、窓２を全開放操作できるようにする（請求項１）。
【０００７】
具体的には図９に示すように、ガイドレール１２の一端内部に切換具３０と捕捉レバー２８とを隣接配置する。捕捉レバー２８は、ガイドレール１２に固定した軸３４で係合姿勢と係合解除姿勢とにシーソー揺動可能に軸支する。切換具３０は、ガイドレール１２で往復スライド可能に案内支持されて、捕捉レバー２８をばね２９の弾性に抗して係合解除操作する作動位置と、捕捉レバー２８の揺動領域の外に退避する待機位置とに変位できようにする（請求項２）。
【０００８】
牽制アーム１０の一端はブラケット９を介して窓２の側面に連結し、ガイドレール１２は開口枠１の内側面に固定する。窓２を閉じた状態において切換具３０を切り換え操作する操作体４３を、窓２の室内側に組み付ける。なお、操作体４３は、図１１に示すように窓２の側に設けることができ、あるいは図１３に示すように開口枠１の側に設けることができる（請求項３）。
【０００９】
図６においてスライダー１１は、スライダー本体１６と、スライダー本体１６と同行移動して捕捉レバー２８で係合捕捉される係合片１７と、スライダー本体１６に組み込まれた制動体１８と、制動体１８をガイドレール１２に押し付け付勢するばね１９とを含み、ガイドレール１２に装着したストッパー１３が、衝撃吸収可能なゴムブロック１３ａで形成されている（請求項４）。
【発明の効果】
【００１０】
本発明では、牽制アーム１０と、牽制アーム１０に連結されるスライダー１１と、スライダー１１を案内支持するガイドレール１２と、スライダー１１を換気位置で開き規制する規制機構などで換気ステーを構成し、規制機構の捕捉レバー２８でスライダー１１を係合捕捉することにより、スライダー１１の開放方向への移動を規制して、窓２を換気位置で開放規制できるようにした。さらに、捕捉レバー２８を切換具３０で係合解除姿勢に切り換えて、スライダー１１の規制を解除することにより、窓２を全解放位置まで開放できるようにした。つまり、１個の牽制アーム１０のみで窓２を換気位置と全開放位置において開放規制できるようにした。
【００１１】
したがって、本発明の換気ステーによれば、窓２を閉じた状態における換気ステーの全体厚みを、従来のこの種の換気ステーに比べて小さくできるので、窓２と開口枠１との対向隙間が小さい場合にも支障なく装着でき、既存の内倒し窓の大半に適用できる汎用性に優れた換気ステーが得られる。スライダー１１が上下にスライド変位して、スライダー１１と牽制アーム１０との連結位置を連続的に変化させることにより窓２を開放させるので、換気位置から全開放位置へと窓２を開放するとき、スライダー１１とガイドレール１２との摺動摩擦を利用して窓２の開放速度を抑止することができる。このことは、２個の牽制アームを直線状に伸張させながら窓が急激に開放揺動する従来の換気ステーとは異なり、窓２が急速に開放揺動するのを抑止できることを意味しており、その分だけ窓２を全開放操作するときの安全性が向上する。１個の牽制アーム１０のみで窓２を開放規制するので、全開放位置における牽制アーム１０の横断長さを小さくでき、例えば窓２の外面を清掃するような場合に、牽制アーム１０が清掃の邪魔になるのを避けられる利点もある（請求項１）。
【００１２】
スライダー１１と、規制機構を構成する捕捉レバー２８、ばね２９、および切換具３０などをガイドレール１２に組み込んだ換気ステーによれば、換気ステーの構成部品の全てを１個のユニット部品としてまとめて取り扱うことができるので、換気ステーを出荷する際の部品の欠落や、左右勝手の違いなどを解消できるうえ、施工現場では、ガイドレール１２と牽制アーム１０の取り付け作業を行うだけでよく、開口枠１や窓枠などに切り欠きや溝などを追加工する必要もないので、換気ステーの組み付けに要する手間を大幅に省くことができる。ガイドレール１２に組み込んだ切換具３０をスライド操作して、捕捉レバー２８を係合解除状態に切り換えるようにするので、窓２が換気位置に開放してある状態において、切換具３０をスライド操作して初めて、捕捉レバー２８によるスライダー１１の規制を解除して窓２を開放揺動でき、使用者の明確な意図がない限りは窓２を全開放操作することができず、誤って切換具３０が切り換え操作されて窓２が開放揺動するのを確実に防止できる。捕捉レバー２８がばね２９で常に係合姿勢に付勢してあるので、全開放位置から窓２を閉じ操作するだけで、スライダー１１を捕捉レバー２８で係合捕捉して窓２の開放量を換気位置に規制できるので、閉じ操作する途中に、窓２が不用意に全開放位置まで開放揺動するのを防止できる（請求項２）。
【００１３】
切換具３０を切り換え操作するために、窓２の室内側に操作体４３を組み付けた換気ステーによれば、窓２を閉じた状態のままで換気ステーを換気状態と全開放状態とのいずれにでも切り換えることができるので、従来の換気ステーにおいて不可欠であった窓開放手順、つまり、換気位置まで開放したのちに換気ステーの状態を切り換えて、窓を全開放操作する必要がなく、操作しやすく使い勝手の良い換気ステーが得られる。必要があれば、換気開放状態において、切換具３０を操作して換気ステーを全開放状態に切り換え操作することもできるので、従来の換気ステーに比べてさらに使いやすい換気ステーが得られる（請求項３）。
【００１４】
スライダー本体１６、係合片１７、およびスライダー本体１６に組み込まれる制動体１８などでスライダー１１を構成すると、制動体１８がガイドレール１２に沿って摺動するときの摩擦抵抗によって、窓２をゆっくりと開放揺動させることができるので、閉じ位置から全開放位置まで開く場合であっても、窓２が急速に開放揺動するのを確実に防止して、窓２を全開放するときの安全性をさらに向上できる。スライダー１１の開きストローク端に設けられるストッパー１３を、衝撃吸収可能なゴムブロック１３ａで形成すると、ゴムブロック１３ａが弾性変形することでスライダー１１の移動エネルギーを吸収して、窓２の開放揺動をゆっくりと停止できるので、誤って窓２が開放されるような場合でも、静粛に窓２を全開放位置に停止できる（請求項４）。
【発明を実施するための最良の形態】
【００１５】
図１ないし図１２は本発明に係る換気ステーの実施例を示す。図２において符号１は開口枠、２は窓である。窓２はその下端左右に装着したヒンジ３で内倒し開放可能に支持してあり、窓枠の上部中央と開口枠１との間に設けたラッチ４で閉じ姿勢を維持できる。ラッチ４の解除つまみ５をばねに抗して引き下げ操作すると、ラッチボルトと受金具との係合が解除されて窓２を開放できる。窓２を換気位置と、全開放位置において開放規制するために、窓枠の側面と開口枠１の内側面との間に換気ステーを設けている。
【００１６】
図３において、換気ステーは、一端がブラケット９を介して窓枠の側面に連結される牽制アーム１０と、牽制アーム１０の他端に連結されるスライダー１１と、開口枠１に固定されてスライダー１１を上下スライド自在に案内支持するガイドレール１２と、ガイドレール１２の下端に固定されるストッパー１３と、ガイドレール１２に組み込まれてスライダー１１を換気位置で開き規制する規制機構等で構成する。ブラケット９はハット形に折り曲げられたプレス金具からなり、その凸部外面に牽制アーム１０をピン１５を介して相対揺動可能に連結する。ブラケット９の上下の締結座はビスで窓枠に締結固定する。
【００１７】
図６において、スライダー１１は、スライダー本体１６と、スライダー本体１６に固定される係合片１７と、制動体１８、および制動体１８を押し付け付勢する板ばね（ばね）１９などで構成する。スライダー本体１６は、断面凸字状の縦長のプラスチックブロックからなり、その下半部側に制動体１８とばね１９を収容する凹部２０が形成してある。
【００１８】
制動体１８は、耐摩耗性に富む断面Ｃ字状のプラスチック成形品からなる制動片１８ａと、制動片１８ａに内嵌する断面Ｔ字状の金属条材からなるバックアップ枠１８ｂとで構成してある。図７に示すように、制動片１８ａをバックアップ枠１８ｂを介して板ばね１９で押し出し付勢することにより、制動片１８ａをガイドレール１２の内底に圧接させて、スライダー１１の移動速度を効果的に制限することができる。板ばね１９にねじ込んだ調整ビス２４のねじ込み量を調整することにより、制動片１８ａの摩擦力を調整できる。
【００１９】
係合片１７は断面コ字状のステンレス製のプレス金具からなり、その板面に後述する捕捉レバー２８で係合捕捉される係合穴２１を形成し、係合穴２１を形成する際にＬ字状の抱持片２２を折り曲げ形成する。この抱持片２２をスライダー本体１６の上部に組み付けて、係合片１７とスライダー本体１６と抱持片２２の三者をピン２３で締結することにより、係合片１７をスライダー本体１６と一体化する。さらに、ピン２３を利用して牽制アーム１０をスライダー本体１６に対して相対揺動可能に連結する。
【００２０】
ガイドレール１２は断面Ｃ字状のアルミニウム条材からなり、その上下複数個所をビスで開口枠１に固定する。図１においてストッパー１３は、ゴムブロック１３ａと、ゴムブロック１３ａをガイドレール１２に押さえ固定する一対の保持金具１３ｂ・１３ｃ、および両保持金具１３ｂ・１３ｃを締結するビス２５などで構成する。ストッパー１３は、窓２が全開放操作されるとき、スライダー１１の下端をゴムブロック１３ａで受け止めて、スライダー１１の衝突衝撃を吸収する。ビス２５をゆるめて、ガイドレール１２に対する保持金具１３ｂ・１３ｃの締結位置を変更することにより、全開放時における窓２の開放角度を変更できる。
【００２１】
規制機構は、ガイドレール１２の上端寄りに配置されて、スライダー１１の係合片１７を係合捕捉する捕捉レバー２８と、捕捉レバー２８を係合姿勢に揺動付勢する捻りコイル形のばね２９と、捕捉レバー２８を係合姿勢から係合解除姿勢に切り換え操作する切換具３０などで構成する。
【００２２】
図９において捕捉レバー２８は、上下端に受動腕３２と爪３３を備えたステンレス鋼材を素材とする金具からなり、その中途部をガイドレール１２に固定した軸３４で軸支することにより、係合姿勢と係合解除姿勢とにシーソー揺動可能に支持してある。ばね２９で係合付勢された捕捉レバー２８は、そのストッパー面３５がガイドレール１２の内底壁に接当して係合姿勢に保持されている。この係合姿勢においては、爪３３が係合片１７の上下スライド軌跡と交差している。そのため、窓２を図５に示す閉じ位置から換気位置まで開き操作すると、図３、図９に示すように係合穴２１が爪３３で受け止められて、それ以上窓２が開放操作されるのを規制できる。
【００２３】
換気位置で開き規制された窓２を全開放位置まで開放するために、捕捉レバー２８の上方に切換具３０を配置し、切換具３０で捕捉レバー２８を係合解除姿勢に切り換え操作できるようにしている。図９、図１０、図１１において切換具３０は、ガイドレール１２で上下スライドのみ可能に案内支持される摺動部３７と、ガイドレール１２の開口外面に突出する操作ノブ３８を一体に備えたプラスチック成形品からなり、その上下方向のスライド限界が、ガイドレール１２に固定したストッパー金具３９と、先の捕捉レバー２８とで規定してある。
【００２４】
ストッパー金具３９を締結するビスと切換具３０との間には、圧縮コイル形のばね４０ａと鋼球４０ｂとからなる節動機構４０が組み込んである。鋼球４０ｂは、操作ノブ３８の内面に設けた凹部に接当している。摺動部３７の下端には受動腕３２を押し上げ操作する斜面４１が形成してある。上記のように、ストッパー金具３９と捕捉レバー２８とで切換具３０のスライド限界を規定することにより、切換具３０は、捕捉レバー２８の揺動領域の外に退避する待機位置（図９の状態）と、捕捉レバー２８をばね２９の弾性に抗して係合解除操作する作動位置（図１０の状態）との間を上下スライドでき、各位置において節動機構で位置保持される。図１１に示すように節動機構は、圧縮コイル形のばね５３と、鋼球５４、およびガイド枠４４に通設した係合穴５５で構成する。
【００２５】
窓２を閉じた状態において切換具３０を切り換え操作するために、窓枠の側面上部に操作体４３を設けている。図８、図１１において操作体４３は、窓枠に固定される断面Ｃ字状のガイド枠４４と、ガイド枠４４で上下スライド可能に案内支持されるスライド片４５と、スライド片４５に固定されるステンレス薄板製のレバー４６と、窓枠の外面においてレバー４６に固定される操作つまみ４７とで構成する。図１、図１１に示すように、窓２を閉じた状態において、切換具３０の操作ノブ３８と対向するスライド片４５には、連結凹部４８が凹み形成してある。この連結凹部４８が操作ノブ３８に外嵌することにより、操作体４３の上下動作を切換具３０に伝えることができる。なお、窓２を閉じた状態におけるレバー４６は、開口枠１に装着したパッキン５０と、窓枠のシール壁５１とに挟まれた状態で上下スライドするので、開口枠１や窓枠にレバー４６用の操作溝や切欠を形成する必要がない。
【００２６】
以下に換気ステーの動作を説明する。図１に示すように、窓２を閉じた状態においては、捕捉レバー２８が係合姿勢に切り換わっていて、その爪３３が係合片１７の係合穴２１内に嵌り込んでいる。この状態から窓２を開き操作すると、窓２の開放揺動に同行してスライダー１１が下降移動し、図３に示すように係合穴２１の上端が爪３３で受け止められる換気位置において、窓２の開放方向への揺動を規制する。通常は、図３の換気位置と、図５の閉じ位置との間で窓２を開閉する。
【００２７】
例えば、窓２の屋外側を清掃する場合には、切換具３０を操作して窓２を全開放位置まで開くが、切換具３０は、窓２が換気開放してある状態と、窓２が閉じてある状態のいずれであっても切り換え操作することができる。窓２が換気開放してある場合には、切換具３０を直接押し下げ操作して、捕捉レバー２８を図１０に示す係合解除状態に切り換えることにより、爪３３を係合片１７のスライド領域から退避させ、捕捉レバー２８によるスライダー１１の拘束を解いて窓２の開放揺動を許す。この後、切換具３０を押し上げ操作すると、捕捉レバー２８を係合姿勢にリセットできる。清掃終了後に、窓２を閉じ操作すると、係合片１７が爪３３をばね２９の付勢力に抗して押し下げながら乗り越えるので、爪３３は再び係合穴２１に落ち込み係合して、窓２の開放揺動を規制する。
【００２８】
窓２が閉じてある場合には、窓２の外面に突出する操作体４３の操作つまみ４７を操作して、切換具３０を待機位置から作動位置へと押し下げ操作し、上記と同様に捕捉レバー２８を係合解除姿勢に切り換える。この切り換え状態では、捕捉レバー２８の爪３３が係合片１７の移動領域から退避しているので、窓２は換気位置を素通りして全開放位置まで一気に開放揺動できる。このとき制動体１８とガイドレール１２との間の摩擦抵抗によって、スライダー１１が急速に下降移動するのを阻止するので、窓２が急激に開放されることはない。また、スライダー１１のストローク下端においては、ゴムブロック１３ａがスライダー本体１６の下端を受け止めて、その移動エネルギーを吸収するので、窓２をゆっくりと停止させることができる。
【００２９】
窓２の清掃が終わったら、切換具３０を待機位置に切り換えることにより、窓２を単に閉じ操作するだけで、係合片１７を捕捉レバー２８で係合捕捉して換気位置に規制保持できる。窓２を開いた状態のままでも、操作つまみ４７は上下に切り換え可能であるが、そうすると、連結凹部４８と操作ノブ３８との高さが一致せず、スライド片４５と操作ノブ３８と接当して、窓２を全閉状態にまで閉じ操作できないことがある。したがって、窓２を開放した状態で操作つまみ４７を上下操作するのは避けるべきである。
【００３０】
図１３は規制機構の別実施例を示す。そこでは、切換具３０にレバー４６を固定し、開口枠１の室内側の内側面にレバー４６を沿わせて、そこに操作つまみ４７を固定した。この実施例によれば、窓２を換気開放した状態と、閉じた状態とのいずれの場合にも、操作つまみ４７を上下操作して作動位置と待機位置とに切り換えることができる。上記の実施例におけるガイド枠４４、スライド片４５を省略して、操作体４３の構造を簡素化できるので、換気ステーの全体コストを削減できる。切換具３０をレバー４６で直接操作するので、操作体４３を窓２側に設ける場合に起り得る、連結凹部４８と操作ノブ３８との高さの不一致を解消できる利点もある。他は、先の実施例と同じであるので、同じ部材に同じ符号を付してその説明を省略する。
【００３１】
上記の実施例以外に、牽制アーム１０の一端を開口枠１側にブラケット９を介して連結し、ガイドレール１２を窓２側に固定することができる。大形の窓の場合には、窓２の左右に換気ステーを配置できる。本発明の換気ステーは内倒し窓以外に、水平軸回りに開閉する回転窓にも適用できる。切換具３０は、実施例で説明した構造である必要はなく、待機位置と作動位置との２位置に切り換え操作可能で、少なくとも作動位置を位置保持できる構造であれば足りる。
【図面の簡単な説明】
【００３２】
【図１】換気ステーの縦断正面図である。
【図２】内倒し窓の正面図である。
【図３】窓を換気位置に開放した状態の換気ステーの側面図である。
【図４】窓を全開放位置に開放した状態の換気ステーの側面図である。
【図５】窓を閉じた状態の換気ステーの側面図である。
【図６】スライダーの分解斜視図である。
【図７】スライダーの横断平面図である。
【図８】操作体の側面図である。
【図９】捕捉レバーと切換具の関係構造を示す断面図である。
【図１０】捕捉レバー、切換具、操作体の関係構造を示す断面図である。
【図１１】図１におけるＡ−Ａ線断面図である。
【図１２】図１におけるＢ−Ｂ線断面図である。
【図１３】操作体の別実施例を示す横断平面図である。
【符号の説明】
【００３３】
１  開口枠
２  窓
９  ブラケット
１０  牽制アーム
１１  スライダー
１２  ガイドレール
１３  ストッパー
１６  スライダー本体
１７  係合片
１９  ばね
２８  捕捉レバー
２９  ばね
３０  切換具
３４  軸
４３  操作体
【図１】
2005139653.tif 000003
【図２】
2005139653.tif 000004
【図３】
2005139653.tif 000005
【図４】
2005139653.tif 000006
【図５】
2005139653.tif 000007
【図６】
2005139653.tif 000008
【図７】
2005139653.tif 000009
【図８】
2005139653.tif 000010
【図９】
2005139653.tif 000011
【図１０】
2005139653.tif 000012
【図１１】
2005139653.tif 000013
【図１２】
2005139653.tif 000014
【図１３】
2005139653.tif 000015